(57)【要約】ＰＯＴＳ電話とＩＰ電話とをシームレスに一体化する統合ＶｏＩＰ電話が提供される。一実施形態において、この統合ＶｏＩＰ電話は、セッション開始プロトコル（「ＳＩＰ」）レジストラーと、セッションボーダー制御装置（「ＳＢＣ」）と、ＳＩＰプロキシと、ＳＩＰ機能サーバーと、ＳＩＰ−ＰＳＴＮゲートウェイと、ユーザーインターフェースと、従来のＶｏＩＰ電話において見られるＶｏＩＰテレフォニー機能とを含む。一実施形態において、この統合ＩＰ電話は、一つ以上のアナログ電話アダプターを含む。ＦＸＳアダプターのような他のＶｏＩＰエンティティは、それら自体を統合ＶｏＩＰ電話とともにＳＩＰ  ＳＢＣを介して登録する。これらの他のエンティティは、統合ＶｏＩＰ電話上で付属電話として存在し、外部ネットワークは、統合ＶｏＩＰ電話と直接的にのみ通信する。
2011501616.tif 000002
【特許請求の範囲】
【請求項１】
統合インターネットプロトコル（ＩＰ）電話であって、該統合ＩＰ電話は、一つ以上のアナログ電話をサポートするアナログ電話アダプターに結合し、該アナログ電話は、該統合ＩＰ電話の仮想付属電話として機能し、その中でボイスオーバーインターネットプロトコル（ＶｏＩＰ）通話が、ＩＰネットワークを介して、該アナログ電話および該統合ＩＰ電話によって行われ、受信され得、該統合ＩＰ電話は、
レジストラーであって、該レジストラーは、アクセス信号方式情報を管理し、該アナログ電話アダプターから登録情報を受け取り、該アナログ電話を該統合ＩＰ電話の付属電話として確立する、レジストラーと、
セッションボーダーコントローラーであって、該セッションボーダーコントローラーは、該登録情報に基づいて、該ＩＰネットワークと該統合ＩＰ電話と該アナログ電話アダプターとの間の信号方式情報を制御する、セッションボーダーコントローラーと、
統合ＩＰ電話がＶｏＩＰ通話を行い、受信することを可能にする音声ＩＰモジュールと
を備えている、統合ＩＰ電話。
【請求項２】
前記統合ＩＰ電話内および前記アナログ電話間で向上した機能を可能にする機能サーバーをさらに備えている、請求項１に記載の統合ＩＰ電話。
【請求項３】
前記統合ＩＰ電話は、ユーザーが家の外にいるときには、鳴らすことの抑制を実行するように構成されている、請求項２に記載の統合ＩＰ電話。
【請求項４】
前記統合ＩＰ電話は、上り通話識別子に基づいて、ユーザーが特有の鳴り方を指定することを可能にするように構成されている、請求項２に記載の統合ＩＰ電話。
【請求項５】
前記統合ＩＰ電話は、上り通話識別子に基づいて、ユーザーがカスタム化された音声メールプロンプトを指定することを可能にするように構成されている、請求項２に記載の統合ＩＰ電話。
【請求項６】
統合ＩＰ電話は、ｔｉｍｅ  ｏｆ−ｄａｙパラメーターに少なくとも部分的に基づいて、ユーザーが上り通話をどのように扱うかを設定することを可能にするように構成されている、請求項２に記載の統合ＩＰ電話。
【請求項７】
アナログ電話ネットワークの中のアナログ電話は、前記ＩＰネットワーク上でセッション開始プロトコル（ＳＩＰ）クライアントとしてある、請求項２に記載の統合ＩＰ電話。
【請求項８】
統合インターネットプロトコル（ＩＰ）電話であって、該統合ＩＰ電話は、一つ以上のアナログ電話を結合し、ボイスオーバーインターネットプロトコル（ＶｏＩＰ）通話が、ＩＰネットワークを介して、該アナログ電話および該統合ＩＰ電話によって行われ、受信され得、該統合ＩＰ電話は、
レジストラーであって、該レジストラーは、アクセス信号方式情報を管理し、該アナログ電話から登録情報を受け取り、該アナログ電話を該統合ＩＰ電話の付属電話として確立する、レジストラーと、
セッションボーダーコントローラーであって、該セッションボーダーコントローラーは、該登録情報に基づいて、該ＩＰネットワークと該統合ＩＰ電話と該アナログ電話との間の信号方式情報を制御する、セッションボーダーコントローラーと、
アナログ電話アダプターであって、該アナログ電話アダプターは、該アナログ電話が該統合ＩＰ電話に直接結合されることを可能にし、該アナログ電話は、該統合ＩＰ電話の仮想付属電話として機能する、アナログ電話アダプターと、
統合ＩＰ電話がＶｏＩＰ通話を行い、受信することを可能にする音声ＩＰモジュールと
を備えている、統合ＩＰ電話。
【請求項９】
前記統合ＩＰ電話内および前記アナログ電話間で向上した機能を可能にする機能サーバーをさらに備えている、請求項８に記載の統合ＩＰ電話。
【請求項１０】
前記統合ＩＰ電話は、ユーザーが家の外にいるときには、鳴らすことの抑制を実行するように構成されている、請求項８に記載の統合ＩＰ電話。
【請求項１１】
前記統合ＩＰ電話は、上り通話識別子に基づいて、ユーザーが特有の鳴り方を指定することを可能にするように構成されている、請求項８に記載の統合ＩＰ電話。
【請求項１２】
前記統合ＩＰ電話は、上り通話識別子に基づいて、ユーザーがカスタム化された音声メールプロンプトを指定することを可能にするように構成されている、請求項８に記載の統合ＩＰ電話。
【請求項１３】
統合ＩＰ電話は、ｔｉｍｅ  ｏｆ−ｄａｙパラメーターに少なくとも部分的に基づいて、ユーザーが上り通話をどのように扱うかを設定することを可能にするように構成されている、請求項８に記載の統合ＩＰ電話。
【請求項１４】
アナログ電話ネットワークの中のアナログ電話は、前記ＩＰネットワーク上でセッション開始プロトコル（ＳＩＰ）クライアントとしてある、請求項８に記載の統合ＩＰ電話。
【発明の詳細な説明】
【技術分野】
【０００１】
（発明の背景）
（発明の分野）
本発明は、通信に関し、より具体的には、ボイスオーバーインターネットプロトコル（「ＶｏＩＰ」）に関する。
【背景技術】
【０００２】
（背景技術）
インターネットは、通信の速度と、通信デバイスの範囲と、これらのデバイスが情報を送受信するプラットホームとを増加させることによって、我々が通信する方法を根本的に変えてきた。この成長が可能になっているのは、インターネットが共通のプロトコル（インターネットプロトコル、またはＩＰ）を用いているオープンネットワークアーキテクチャーを使用し、信号が回線交換サービスを伝送する方法とは根本的に異なる態様で、ネットワークを横断してデータを伝送するからである。ＩＰネットワーク内で、データは、複数のパケットに分割され、一連の物理ネットワークを介して伝送され、一連の物理ネットワークは、銅ケーブル、ファイバーケーブル、同軸ケーブルまたはワイヤレス設備を含み得る。
【０００３】
ＩＰネットワーク化に依存するブロードバンドサービス（例えば、ｅメール、ファイル転送、ワールドワイドウェブ、ピアツーピアファイル共有、インスタントメッセージング、メディアのストリーミング、オンラインゲームおよびボイスオーバーインターネットプロトコル（「ＶｏＩＰ」）は、複数のプラットホームにわたって展開されており、複数のプラットホームは、従来の電話会社、ケーブルオペレーター、直接放送衛星（「ＤＢＳ」）、ビデオ番組プロバイダー、ワイヤレスプロバイダーによって、および電力線を用いる電力会社によってさえ、提供されるものを含む。
【０００４】
ＶｏＩＰサービスは、過去数年にわたって、劇的で前例のない成長を遂げてきた。ＶｏＩＰサービスはまた、ＩＰテレフォニー、インターネットテレフォニー、インターネット音声、ブロードバンドテレフォニー、ブロードバンド電話およびボイスオーバーブロードバンドとも呼ばれ得る。ピアツーピアＩＰテレフォニーにおける初期の試みは、部分的には初期のＩＰネットワークの性質に起因して大いに不成功であり、このことは、制限された信頼性、質の悪い音声を提供し、大型埋め込み回線交換ベースの公衆交換電話網（「ＰＳＴＮ」）との制限された統合をサポートした。
【０００５】
特に、ＶｏＩＰサービスが許容可能な質であるようにするためには、高速バックボーンネットワークおよびこれらのネットワークへの高速アクセスが必須である。連邦通信委員会によって規定されているように、高速アクセス線は、２００Ｋｂｓ以上の送信速度をサポートする線をいう。１９９９年から２００６年まで、米国内での高速アクセス線は、連邦通信委員会によって報告されているように、１９９９年における２８０万本から２００６年における６４６０万本に拡大した。さらに、現在の成長速度は、例外的な高さを維持し、高速線の数は、２００６年の上半期中に５１２０万から６４６０万に２６％を超えて増加している。
【０００６】
近年、少なくとも部分的には高速線の著しい成長の結果として、ＶｏＩＰサービスが成長し始めている。Ｙａｎｋｅｅ  Ｇｒｏｕｐによれば、２００６年中に消費者によるＶｏＩＰの採用は、９００万超の加入者に達し、普及率が米国家庭の約９パーセントで、これは、２００５年の４パーセントから増加している。明らかに、ＶｏＩＰサービスの成長は、その揺籃期にある。持続的な成長および許容可能性に対する主要な障害は、従来の電話またはレガシー電話（Ｐｌａｉｎ  Ｏｌｄ  Ｔｅｌｅｐｈｐｎｅ  Ｓｅｒｖｉｃｅ（「ＰＯＴＳ」）電話とも呼ばれる）とＩＰベースの電話との一体化である。
【０００７】
この一体化の課題に対する現在の解決策は、問題がある。一つのアプローチは、ＰＯＴＳ電話を、ＦＸＳアダプターと呼ばれるＶｏＩＰアダプターに対して用いることである。残念ながら、ＦＸＳアダプターを用いるとき、すべてのレガシー電話がこのアダプターに接続されなければならず、独立型ＶｏＩＰ電話は、ネットワーク上で共存し得ない。別のアプローチは、ＩＰ  パブリックブランチエクスチェンジ（Ｐｕｂｌｉｃ  Ｂｒａｎｃｈ  Ｅｘｃｈａｎｇｅ）（「ＩＰ  ＰＢＸ」）の展開である。このアプローチは、同様に問題があり、また、よりコストのかかる代替案であり、住宅でのユーザーにとって金銭的に魅力がない。
【発明の概要】
【発明が解決しようとする課題】
【０００８】
必要なのは、ＶｏＩＰ通話を行い、受信するための、既存のＰＯＴＳ電話とＩＰ電話とのシームレスな一体化をサポートする、コスト効果の高いシステムおよび方法である。
【課題を解決するための手段】
【０００９】
本発明は、ＰＯＴＳ電話とＩＰ電話とをシームレスに一体化する統合ＶｏＩＰ電話を提供する。一実施形態において、この統合ＶｏＩＰ電話は、セッション開始プロトコル（「ＳＩＰ」）レジストラーと、セッションボーダー制御装置（「ＳＢＣ」）と、ＳＩＰプロキシと、ＳＩＰ機能サーバーと、ＳＩＰ−ＰＳＴＮゲートウェイと、ユーザーインターフェースと、従来のＶｏＩＰ電話において見られるＶｏＩＰテレフォニー機能とを含む。一実施形態において、この統合ＩＰ電話は、一つ以上のアナログ電話アダプターを含む。ＦＸＳアダプターのような他のＶｏＩＰエンティティは、それら自体を統合ＶｏＩＰ電話とともにＳＩＰ  ＳＢＣを介して登録する。これらの他のエンティティは、統合ＶｏＩＰ電話上で付属電話として存在し、外部ネットワークは、統合ＶｏＩＰ電話と直接的にのみ通信する。
【００１０】
複数の実施形態において、統合ＶｏＩＰ電話は、非常に多くの向上した機能をサポートする。統合ＶｏＩＰ電話は、複数の電話番号（実際には、ＳＩＰ  ｕｎｉｆｏｒｍ  ｒｅｓｏｕｒｃｅ  ｉｄｅｎｔｉｆｉｅｒ［「ＵＲＩ」］）を登録し、特有の鳴り方、サブセットのルーティングなどを実行し得る。加えて、統合ＶｏＩＰ電話は、特定の端末（すなわち、ＶｏＩＰ付属電話）のＤＩＤ（ダイヤルイン）を鳴らすことを可能にし得、端末のサブセットのみが、所与の上り要求に対して鳴ること、および／またはフォーキング（ｆｏｒｋｉｎｇ）プロキシ機能が上り要求に基づいてＶｏＩＰ／ＰＯＴＳ端末のすべてまたはサブセットを鳴らすことを可能にし得る。
【００１１】
統合ＶｏＩＰ電話は、ユーザーが家の外にいるときには、登録をディセーブルし得るか、または鳴らすことの抑制を実行し得る。さらに、統合ＶｏＩＰ電話は、ユーザーが発信者のＩＤ情報に基づいて特有の鳴り方を指定すること、ｔｉｍｅ  ｏｆ−ｄａｙのカスタム化および転送を設定すること、ならびに発信者ＩＤ情報に基づく音声メールプロンプトをカスタム化することを可能にする。他の実施形態において、統合ＶｏＩＰ電話は、複数のユーザーを通信事業者のレジストラーに登録し、一意的な指示を一部またはすべての端末に提供し得る。統合ＶｏＩＰ電話はまた、ＶｏＩＰ線とＰＯＴＳ線との両方に付属電話のアドレス指定をすることを提供し得る。このことは、ＶｏＩＰ電話上の複数のＦＸＳポートを介してか、またはＦＸＳポートに接続されたすべてのＰＯＴＳステーションへの一意的な鳴らし方のリズムを介して遂行され得る。
【００１２】
本発明のさらなる実施形態、特徴および利点、ならびには、本発明のさまざまな実施形態の構造および動作は、添付の図面を参照して以下で詳細に説明される。
【図面の簡単な説明】
【００１３】
本明細書に組み込まれ、本明細書の一部分を形成する添付の図面は、説明とともに本発明を例示し、さらに本発明の原理を説明することに役立ち、当業者が本発明を構成し、用いることを可能にする。
【図１】図１は、ＩＰ電話をＩＰ音声ネットワークに接続する方法を例示する、電話ネットワークの一部分の略図である。
【図２】図２は、アナログ電話をＩＰ音声ネットワークに接続する方法を例示する、電話ネットワークの一部分の略図である。
【図３】図３は、ＶｏＩＰ  ＰＢＸを用いている同じローカルエリアネットワークを介して、ＩＰ電話およびアナログ電話をＩＰ音声ネットワークに接続する方法を例示する、電話ネットワークの一部分の略図である。
【図４】図４は、本発明の例示的な実施形態に従った、同じローカルエリアネットワークを介してＩＰ電話およびアナログ電話をＩＰ音声ネットワークに接続する方法を例示する、電話ネットワークの一部分の略図である。
【図５】図５は、本発明の例示的な実施形態に従ったＩＰ電話の略図である。
【図６】図６は、本発明の例示的な実施形態に従った、同じローカルエリアネットワークを介してＩＰ電話およびアナログ電話をＩＰ音声ネットワークに接続する方法を例示する、電話ネットワークの一部分の略図である。
【図７】図７は、本発明の例示的な実施形態に従ったＩＰ電話の略図である。
【００１４】
本発明は、ここで、添付の図面を参照して説明される。図面において、同様な参照数字は、同一または根本的に類似した要素を示す。加えて、参照数字の左端の一つまたは複数の桁は、参照数字が最初に現れる図面を識別する。
【発明を実施するための形態】
【００１５】
（発明の詳細な説明）
本発明は、本明細書において特定の用途に対する例示的な実施形態を参照して説明されるが、本発明は、それらに限定されないことが理解されるべきである。本明細書で提供さ
れる教示を利用可能な当業者は、本明細書で提供される教示の範囲、および本発明が相当に有用である付加的な分野の中での付加的な修正、付加的な用途および付加的な実施形態を認識する。
【００１６】
図１は、典型的なＶｏＩＰシステム１００を例示する。図１に示されるように、ＶｏＩＰ電話１１０は、ハンドセット１２０と通信し、ハンドセット１２０は、ユーザーがＶｏＩＰネットワーク１７０を介して通話を行い、受けることを可能にする。ＶｏＩＰ電話１１０は、直接、ＬＡＮ（ローカルエリアネットワーク）１３０に接続される。ＬＡＮ１３０は、ルーター／モデム１６０に接続され、ルーター／モデム１６０は、ＶｏＩＰネットワーク１７０に接続される。ルーター／モデム１６０は、ＤＳＬ（直接加入者線）モデム、ケーブルモデム、またはＦｉＯＳモデムであり得、ＶｏＩＰネットワーク１７０からパケットを受信するためにパブリックＩＰアドレス（例えば、ｐｕｂｌｉｃ＿ｄｏｍａｉｎ．ｃｏｍ）を有する。
【００１７】
プライベートＩＰアドレス（例えば、ｐｒｉｖａｔｅ＿ｄｏｍａｉｎ．ｃｏｍ）を有するサービスレジストラーデバイス１４０もまた、ＬＡＮ  １３０に接続される。ＮＡＴ（ネットワークアドレス変換）デバイス１５０は、ソースアドレスパケットおよび宛先アドレスパケットがルーター／モデム１６０を通るとき、ソースアドレスパケットおよび宛先アドレスパケットを書き換え、結果としてそれらは、サービスレジストラーデバイス１４０によって受信され得る。サービスレジストラーデバイス１４０は、ＶｏＩＰ電話１１０に対するアクセス情報を管理する。すなわち、ＶｏＩＰ電話１１０からの登録要求の際に、サービスレジストラーデバイス１４０は、ＶｏＩＰ電話１１０に一意的なアドレス（１２３４＠ｐｒｉｖａｔｅ＿ｄｏｍａｉｎ．ｃｏｍ）を提供する。このアドレスは、ＶｏＩＰ電話１１０に対する電話番号として機能する。ＶｏＩＰシステム１００がセッション開始プロトコル（ＳＩＰ）を実装するとき、一意的なアドレスは、ＳＩＰ  ＵＲＩ（Ｕｎｉｖｅｒｓａｌ  Ｒｅｓｏｕｒｃｅ  Ｉｄｅｎｔｉｆｉｅｒ）といわれる。ＳＩＰに関するさらなる情報については、例えば、ＩＥＴＦによる「ＲＦＣ  ３２６１：ＳＩＰ：セッション開始プロトコル」を参照されたく、その情報の開示は、本明細書で参照により援用される。
【００１８】
図２は、アナログ電話をＩＰ音声ネットワークに接続する方法を例示する、電話ネットワーク２００の一部分の略図である。図２において、ＰＯＴＳ／アナログ電話２２０がアナログ電話アダプター（「ＡＴＡ」）（例えば、ＦＸＳ（外部交換ステーション）アダプター２１０）に接続されている。ＦＸＳアダプター２１０は、ＰＯＴＳ接続およびイーサネット（登録商標）接続を提供する。ＦＸＳアダプター２１０は、ＰＯＴＳ通信をイーサネット（登録商標）通信に変換する。ＦＸＳアダプター２１０を用いて、ＰＯＴＳ電話２２０は、ローカルエリアネットワーク（「ＬＡＮ」）１３０に接続され得る。ＦＸＳアダプター２１０の例は、Ｃｉｓｃｏ、ＬｉｎｋｓｙｓおよびＭｏｔｏｒｏｌａによって製造されるものである。ＦＸＳアダプター２１０は、サービスレジストラー１４０に登録要求を送信し、一意的なアドレスを受信するという点で、図１におけるＶｏＩＰ電話１１０と類似の態様で動作する。
【００１９】
一部の状況において、ユーザーは、ＶｏＩＰ電話１１０を有し、レガシーＰＯＴＳ電話２２０をＶｏＩＰサービスとともに動作させることを望み得る。ユーザーがＶｏＩＰ電話１１０およびＦＸＳアダプター２１０を同じＬＡＮ１３０に接続しようと試みるとき、各々は、サービスレジストラー１４０に登録する。複数のＶｏＩＰ電話１１０、複数のＦＸＳアダプター２１０、または複数のＶｏＩＰ電話１１０と複数のＦＸＳアダプター２１０との組み合わせの各々が登録するとき、ＬＡＮ１３０上のサービスレジストラー１４０デバイスとＮＡＴ  １５０デバイスとは、複数のデバイスがアドレスを共有することを可能にしない。それゆえ、ＦＸＳアダプター２１０とＶｏＩＰ電話１１０とは、ＶｏＩＰシステム１００またはＶｏＩＰシステム２００において、同じ番号を有して共存し得ない。結果として、ＰＯＴＳ電話のＶｏＩＰ電話との一体化は、不可能である。
【００２０】
図３は、ＶｏＩＰ構内電話交換機（「ＰＢＸ」）を用いてＰＯＴＳ電話とＶｏＩＰ電話とを同じローカルエリアネットワークに接続する方法を例示する、電話ネットワーク３００の一部分の略図である。ＶｏＩＰ  ＰＢＸ  ３１０がＬＡＮ  １３０に接続されるとき、ＶｏＩＰ  ＰＢＸ  ３１０は、ＶｏＩＰ電話１１０とＦＸＳアダプター２１０とがコンフリクトなしにサービスレジストラー１４０に登録することを可能にする。図３に示されるように、ＶｏＩＰ  ３１０は、ＶｏＩＰ  １１０とＦＸＳ２１０とが互いの付属電話となることを可能にする。すなわち、ＦＸＳアダプター２１０は、１２３４＠ｐｒｉｖａｔｅ＿ｄｏｍａｉｎ．ｃｏｍにおいて付属電話−１であり、ＶｏＩＰ電話は、１２３４＠ｐｒｉｖａｔｅ＿ｄｏｍａｉｎ．ｃｏｍにおいて付属電話−２である。一部のＶｏＩＰ  ＰＢＸ  ３１０は、ＶｏＩＰ  １１０とＦＸＳアダプター２１０とが直接接続されることを可能にすることが留意されるべきである。ＶｏＩＰ  ＰＢＸ  ３１０を作動させることは、各ＦＸＳアダプター２１０と各ＶｏＩＰ電話１１０とがそれ自体を登録することを可能にするが、家庭においてＶｏＩＰ  ＰＢＸ  ３１０を作動させることは、便利でないか、または大部分の消費者にとって必ずしも実際的な解決策でない。
【００２１】
図４は、本発明の例示的な実施形態に従って、ＩＰ電話とアナログ電話とを、同じローカルエリアネットワークを介してＩＰ音声ネットワークに接続する方法を例示する、電話ネットワーク４００の一部分の略図である。電話ネットワーク４００は、ＡＴＡ（例えば、ＦＸＳアダプター）およびＶｏＩＰ電話を含む複数のＶｏＩＰエンティティがＬＡＮ上で共存することを可能にする。電話ネットワーク４００は、前述の複数の要素、ＬＡＮ  １３０と、ＮＡＴ  １４０と、ルーター／モデム１６０と、ＶｏＩＰネットワーク１７０と、ＦＸＳアダプター２１０と、ＰＯＴＳ電話２２０とを含む。これらの要素の説明のために、図１〜３への参照が行われる。
【００２２】
電話ネットワーク４００はまた、統合ＶｏＩＰ電話４１０およびハンドセット４２０を含む。例示的な実施形態において、ハンドセット４２０は、Ｗｉ−ＦｉまたはＤＥＣＴ（デジタルエンハンストコードレス電気通信）プロトコルを用いて、統合ＶｏＩＰ電話４１０とワイヤレスで通信する。
【００２３】
統合ＶｏＩＰ電話４１０は、他のＶｏＩＰエンティティがそれ自体を統合ＶｏＩＰ電話４１０とともに登録することを可能にし、それによってネットワーク２００に関して識別される競合と、ネットワーク３００に関連したコストおよび利便性の問題とを排除する。
【００２４】
図５は、本発明の例示的な実施形態に従って、統合ＶｏＩＰ電話４１０の機能ブロック図を提供する。統合ＶｏＩＰ電話４１０は、ＳＩＰレジストラー５１０、ＳＩＰ  ＳＢＣ  ５２０、ＳＩＰプロキシ５３０、ＳＩＰ機能サーバー（ｆｅａｔｕｒｅ  ｓｅｒｖｅｒ）５４０、ＳＩＰ−ＰＳＴＮゲートウェイ５５０、ユーザーインターフェース５６０およびＩＰ音声モジュール５７０を含む。
【００２５】
ＳＩＰレジストラー５１０は、ＶｏＩＰエンティティに対するアクセス情報を管理するという点で、サービスレジストラー１４０と類似している。図４の例において、ＳＩＰレジストラー５１０は、統合ＶｏＩＰ電話４１０およびＦＸＳアダプター２１０に対する登録情報を管理する。例示的な実施形態において、ＳＩＰレジストラーは、利用可能な市販の製品またはオープンソースの製品（例えば、Ａｓｔｅｒｉｓｋ）を用いて実装され得るソフトウェアである。
【００２６】
ＳＩＰ  ＳＢＣ  ５２０は、Ｂ２ＢＵＡ（バックトゥバックユーザーエージェント）であり、Ｂ２ＢＵＡは、入り要求を受信し、それ相応に入り要求を処理する。ＳＩＰ  ＳＢＣ  ５２０は、ＶｏＩＰエンティティが登録要求を処理し、ＳＩＰレジストラー５１０に送信することによって、ＳＩＰ  ＳＢＣ  ５２０自体を統合ＶｏＩＰ電話４１０とともに登録する。例示的な実施形態において、ＶｏＩＰエンティティは、統合ＶｏＩＰ電話４１０上で付属電話として存在し、ＶｏＩＰネットワーク１７０は、統合ＶｏＩＰ電話４１０とのみ通信する。このことは、統合ＶｏＩＰ電話４１０上で、付属電話として既存のＰＯＴＳ電話２２０のシームレスな一体化を可能にする。ＬＡＮ  １３０上に複数のＶｏＩＰ電話があるとき、各々は、統合ＶｏＩＰ電話４１０を介して登録する。選出アルゴリズムは、ＶｏＩＰピアに交じっているそのような電話を決定するために用いられ得る。例示的な実施形態において、ＳＩＰ  ＳＢＣ  ５２０は、利用可能な市販の製品またはオープンソースの製品を用いて実装され得るソフトウェアである。
【００２７】
ＳＩＰプロキシ５３０は、実際上、アプリケーション層ルーターである。ＳＩＰプロキシ５３０は、ＳＩＰメッセージ転送決定を行い、メッセージを下流へ他のＳＩＰネットワーク要素（他のプロキシ、ＵＡ（ユーザーエージェント）など）に転送する。典型的には、プロキシは、メッセージにその「Ｖｉａ：」を付加することのみを行い、メッセージを送信する。応答することを望む下流の要素は、「Ｖｉａ：」ヘッダースタックを展開することによって応答する。しかしながら、ＳＩＰプロキシ５３０は、フォーキングプロキシ機能を含む。
【００２８】
フォーキングプロキシ機能は、複数の下流のエンティティがＳＩＰメッセージを受信すべきであるという決定が行われる能力を提供し、実際上、メッセージの流れを複数の下流の支脈に「フォークする」。フォーキングの使用は、単一の上りＩＮＶＩＴＥが複数の下りＩＮＶＩＴＥを生成することを可能にすることである。このことは、複数のＳＩＰ端末を「鳴らす」か、または警報を出させる。このことの一例は、１２３４＠ｐｒｉｖａｔｅ＿ｄｏｍａｉｎ．ｃｏｍに対する通話が到達する場合には、プロキシが１２３４−ｌ＠ｐｒｉｖａｔｅ＿ｄｏｍａｉｎ．ｃｏｍおよび１２３４−２＠ｐｒｉｖａｔｅ＿ｄｏｍａｉｎ．ｃｏｍを「鳴らす」ことである。ユーザーが１２３４−２＠ｐｒｉｖａｔｅ＿ｄｏｍａｉｎ．ｃｏｍに応答するとき、プロキシは、「通常の」信号方式がそのセッションに対して生じさせ、ＣＡＮＣＥＬメッセージを他の端末（すなわち、この例では１２３４−ｌ＠ｐｒｉｖａｔｅ＿ｄｏｍａｉｎ．ｃｏｍ）に出す。
【００２９】
さらに、ＳＩＰプロキシ５３０は、特定の端末（すなわち、ＶｏＩＰ付属電話）（ここでは、端末のサブセットのみが所与の上り要求に対して鳴り、かつ／またはフォーキングプロキシ機能を可能にする）のＤＩＤ（ダイヤルイン）が鳴ることが、上り要求に基づいてＶｏＩＰ／ＰＯＴＳ端末のすべてまたはサブセットを鳴らすことを可能にし得る。ＲＥＧＩＳＴＥＲされた実際のＶｏＩＰエンドポイントと、ＳＩＰ信号方式がダムクライアント（ｄｕｍｂ  ｃｌｉｅｎｔ）のために人工的に生み出され得る擬似ＶｏＩＰエンドポイント（すなわち、ＰＯＴＳ）との両方に対してである。代替の実施形態において、ＭＧＣＰまたはＭＥＧＡＣＯ（メディアゲートウェイ制御プロトコル）が、局所ＰＯＴＳポートに対して用いられ得る。
【００３０】
ＳＩＰ機能サーバー５４０は、通話中着信、転送電話、ラストコールリターン（ｌａｓｔ  ｃａｌｌ  ｒｅｔｕｒｎ）などを含む通話関連機能を提供する機能である。ＳＩＰ−ＰＳＴＮ（公衆交換電話網）ゲートウェイ５５０は、統合ＶｏＩＰ４１０がＰＳＴＮに接続されることを可能にする。
【００３１】
ユーザーインターフェース５６０は、ユーザーがＶｏＩＰ電話４１０上で機能をイネーブル／ディセーブルすることを可能にする。例えば、デフォルト構成において、家の中のすべてのレガシーＰＯＴＳ電話は、ＶｏＩＰ付属電話として作動し、ユーザーインターフェース５６０は、ユーザーがこの機能をイネーブル／ディセーブルすることを可能にする。ユーザーインターフェース５６０は、ユーザーが家の外にいるときには、ユーザーが登録をディセーブルすること、または鳴らすことの抑制を実行することを可能にする。このことは、ユーザーが番号を家から外に持ち出すときに有用である。さらに、ユーザーインターフェース５６０は、ユーザーが発信者のＩＤ情報に基づいて特有の鳴り方を指定すること、ｔｉｍｅ  ｏｆ−ｄａｙのカスタム化および転送を設定すること、ならびに発信者ＩＤ情報に基づく音声メールプロンプトをカスタム化することを可能にする。
【００３２】
ユーザーインターフェース５６０は、ユーザーに、特定の端末のＤＩＤ（ダイヤルイン）を鳴らすことか、または「応答に答えた場合を除いてすべて鳴らす／すべてキャンセルする」というフォーキングプロキシ機能のいずれかを行うオプションを提供する。すなわち、特定の付属電話のみが、上り要求に基づいて鳴る。この場合、ＶｏＩＰ電話は単一の登録のみを実行する。
【００３３】
図６は、本発明の例示的な実施形態に従って、ＩＰ電話とアナログ電話とを、同じローカルエリアネットワークを介してＩＰ音声ネットワークに直接接続する代替方法を例示する、電話ネットワーク６００の一部分の略図である。電話ネットワーク６００は、統合ＶｏＩＰ電話６１０を含み、統合ＶｏＩＰ電話６１０は、統合ＡＴＡアダプター７９０を含み、統合ＡＴＡアダプター７９０は、ＰＯＴＳ電話がＶｏＩＰ電話６１０に直接接続されることを可能にする。統合ＶｏＩＰ電話６１０は、図７に例示される。
【００３４】
図７は、本発明の例示的な実施形態に従った、統合ＩＰ電話６１０の機能ブロック図を提供する。統合ＶｏＩＰ電話６１０は、ＳＩＰレジストラー５１０、ＳＩＰ  ＳＢＣ  ５２０、ＳＩＰプロキシ５３０、ＳＩＰ機能サーバー５４０、ＳＩＰ−ＰＳＴＮゲートウェイ５５０、ユーザーインターフェース５６０およびＩＰ音声モジュール５７０を含む。これらのモジュールの各々は、統合ＩＰ電話４１０に関して説明される。加えて、統合ＩＰ電話６１０は、ＦＸＳアダプター７１０を含み、ＦＸＳアダプター７１０は、ＰＯＴＳ電話がＶｏＩＰ電話６１０に直接接続されることを可能にする。
【００３５】
本発明のさまざまな実施形態が上記で説明されているが、それらは例としてのみ提示され、制限として提示されていないことが、理解されるべきである。形態および詳細におけるさまざまな変更が、本発明の精神および範囲から逸脱することなしに形態および詳細において行われ得ることが、当業者に明白である。結果として、本発明の外延および範囲は、上述の例示的な実施形態のいずれによっても制限されるべきではなく、以下の特許請求の範囲およびその均等物に従ってのみ制限されるべきである。
【図１】
2011501616.tif 000003
【図２】
2011501616.tif 000004
【図３】
2011501616.tif 000005
【図４】
2011501616.tif 000006
【図５】
2011501616.tif 000007
【図６】
2011501616.tif 000008
【図７】
2011501616.tif 000009
【国際調査報告】
2011501616.tif 000010